【事件の表示】
　特許第２９５９５６７号「防火区画用スクリーン装置」の請求項１ないし４に係る特許に対する特許異議の申立てについて、次のとおり決定する。
【結　論】
　訂正を認める。
　特許第２９５９５６７号の請求項１ないし４に係る特許を維持する。
【理　由】
１．手続の経緯
　特許第２９５９５６７号の請求項１乃至４に係る発明は、平成１０年９月１４日に特許出願され、平成１１年７月３０日に特許の設定登録がなされ、その後、その特許について異議申立人　田中秀幸　より特許異議申立てがなされ、取消理由通知がなされ、その指定期間内である平成１２年９月１２日に訂正請求がなされたものである。
　
２．訂正の適否についての判断
２−１．訂正の内容
　平成１２年９月１２日になされた訂正請求は、特許明細書を訂正明細書のとおりに訂正することを求めるもので、その内容は以下のａ．〜ｅ．のとおりである。
ａ．特許請求の範囲【請求項１】において「該スクリーン幕の下端縁から上向きに形成され、該スクリーン幕を左右に分断して該スクリーン幕の下端縁との間に三角形状でその斜辺に沿って折り曲げ自在な扉部を形成するスリット部」とあるのを、「該スクリーン幕の下端縁から上向きに当該スクリーン幕の途中まで形成され、該スクリーン幕をその下端縁から途中までの間で左右に分断して該スクリーン幕の下端縁との間に三角形状でその斜辺に沿って折り曲げ自在な扉部を形成するスリット部」と訂正する。
ｂ．明細書【００１２】段落において「該スクリーン幕の下端縁から上向きに形成され、該スクリーン幕を左右に分断して該スクリーン幕の下端縁との間に三角形状でその斜辺に沿って折り曲げ自在な扉部を形成するスリット部」とあるのを、「該スクリーン幕の下端縁から上向きに当該スクリーン幕の途中まで形成され、該スクリーン幕をその下端縁から途中までの間で左右に分断して該スクリーン幕の下端縁との間に三角形状でその斜辺に沿って折り曲げ自在な扉部を形成するスリット部」と訂正する。
ｃ．明細書【００１４】段落において「スクリーン幕の下端縁から上向きに形成されたスリット部」とあるのを、「スクリーン幕の下端縁から上向きに当該スクリーン幕の途中まで形成されたスリット部」と訂正する。
ｄ．明細書【００２９】段落において「スクリーン幕１２には、下端縁中央部から上向きにスリット部２０が形成されていて、スクリーン幕１２は左右に分断されている。」とあるのを、「スクリーン幕１２には、下端縁中央部から上向きに当該スクリーン幕１２の途中までスリット部２０が形成されていて、スクリーン幕１２はその下端縁から途中までの間で左右に分断されている。」と訂正する。
ｅ．明細書【００３７】段落において「該スクリーン幕１２の下端縁から上向きに形成されたスリット部２０」とあるのを、「該スクリーン幕１２の下端縁から上向きに当該スクリーン幕１２の途中まで形成されたスリット部２０」と訂正する。
　
２−２．訂正の目的の適否、新規事項の有無、及び拡張・変更の存否
　訂正事項ａ．は、スリット部の形成位置を「当該スクリーン幕の途中まで」と限定するとともに、スクリーン幕の分断位置を「その下端縁から途中までの間で」と限定するものであり、特許請求の範囲の減縮を目的とするものである。また、この訂正事項ａ．は、願書に添付した明細書又は図面の記載に基づくものであって、新規事項の追加に該当せず、しかも実質上特許請求の範囲を拡張し、又は変更するものではない。
　また、訂正事項ｂ．〜訂正事項ｅ．は、訂正事項ａ．の訂正に沿って、明細書の発明の詳細な説明の記載を訂正するものであり、明りょうでない記載の釈明を目的とするものである。また、これらの訂正事項は、願書に添付した明細書又は図面の記載に基づくものであって、新規事項の追加に該当せず、しかも実質上特許請求の範囲を拡張し、又は変更するものではない。
　
２−３．むすび
　以上のとおりであるから、上記訂正は、特許法第１２０条の４第２項及び同条第３項において準用する特許法第１２６条第２項及び第３項の規定に適合するので、当該訂正を認める。　
　
３．特許異議申立てについて
３−１．本件発明
　特許第２９５９５６７号の請求項１乃至４に係る発明（以下、「本件発明１」、「本件発明２」、「本件発明３」及び「本件発明４」という。）は、訂正明細書の特許請求の範囲の請求項１乃至４に記載された次の事項により特定されるとおりのものである。
【請求項１】　天井側から垂下されて建物の内部空間を間仕切りする不燃性または耐火性の可撓性を有するスクリーン幕と、
　該スクリーン幕の下端縁から上向きに当該スクリーン幕の途中まで形成され、該スクリーン幕をその下端縁から途中までの間で左右に分断して該スクリーン幕の下端縁との間に三角形状でその斜辺に沿って折り曲げ自在な扉部を形成するスリット部と、
　該扉部の下端縁に沿ってこれに取り付けられた扉用ウエイトバーと、
　該扉部を除いて該スクリーン幕の下端縁に沿ってこれに取り付けられたスクリーン用ウエイトバーと、
　該スクリーン用ウエイトバーに対し該扉用ウエイトバーを回動自在に連結する枢着部材とを備え、
　該枢着部材は、上記扉用ウエイトバーを上記スクリーン用ウエイトバーに対し水平方向と鉛直方向とに回動させる２軸を有することを特徴とする防火区画用スクリーン装置。
【請求項２】　天井側から垂下されて建物の内部空間を間仕切りする不燃性または耐火性の可撓性を有するスクリーン幕と、
　該スクリーン幕の下端縁から上向きに形成され、該スクリーン幕を左右に分断して該スクリーン幕の下端縁との間に三角形状でその斜辺に沿って折り曲げ自在な扉部を形成するスリット部と、
　該扉部の下端縁に沿ってこれに取り付けられた扉用ウエイトバーと、
　該扉部を除いて該スクリーン幕の下端縁に沿ってこれに取り付けられたスクリーン用ウエイトバーと、
　該スクリーン用ウエイトバーに対し該扉用ウエイトバーを水平方向に回動自在に連結するとともに、その回動軸に沿って該扉用ウエイトバーを鉛直方向に昇降移動可能に連結する枢着部材と、
　を備えたことを特徴とする防火区画用スクリーン装置。
【請求項３】　天井側から垂下されて建物の内部空間を間仕切りする不燃性または耐火性の可撓性を有するスクリーン幕と、
　該スクリーン幕の下端縁から上向きに形成され、該スクリーン幕を左右に分断して該スクリーン幕に矩形状の捻り回転自在な扉部を形成するスリット部と、
　該扉部の下端縁に沿ってこれに取り付けられた扉用ウエイトバーと、
　該扉用ウエイトバーとは分離されてその下側を通り、該スクリーン幕の下端縁に沿ってこれに取り付けられたスクリーン用ウエイトバーと、
　該スクリーン用ウエイトバーに対し該扉用ウエイトバーの中央部を回動自在に連結する枢着部材とを備え、
　該枢着部材は、上記扉用ウエイトバーを上記スクリーン用ウエイトバーに対し水平方向と鉛直方向とに回動させる２軸を有することを特徴とする防火区画用スクリーン装置。
【請求項４】　天井側から垂下されて建物の内部空間を間仕切りする不燃性または耐火性の可撓性を有するスクリーン幕と、
　該スクリーン幕の下端縁から上向きに形成され、該スクリーン幕を左右に分断して該スクリーン幕に矩形状の捻り回転自在な扉部を形成するスリット部と、
　該扉部の下端縁に沿ってこれに取り付けられた扉用ウエイトバーと、
　該扉用ウエイトバーとは分離されてその下側を通り、該スクリーン幕の下端縁に沿ってこれに取り付けられたスクリーン用ウエイトバーと、
　該スクリーン用ウエイトバーに対し該扉用ウエイトバーの中央部を水平方向に回動自在に連結するとともに、その回動軸に沿って該扉用ウエイトバーを鉛直方向に昇降移動可能に連結する枢着部材と、
　を備えたことを特徴とする防火区画用スクリーン装置。
　
３−２．申立ての理由の概要
　異議申立人　田中秀幸　は、
甲第１号証として、特開２０００−８０８６６号公報、
甲第２号証として、昭和４２年１月３０日４版・日刊工業新聞社発行「図解機械用語辞典」第１９８頁、及び
甲第３号証として、片開き構造の扉を２つ並べた構造の図面
を提出し、本件発明１乃至本件発明４は、その出願の日前の他の出願であって、その出願後に出願公開された甲第１号証の出願の願書に最初に添付した明細書又は図面（以下、「甲第１号証明細書」という。）に記載された発明と同一であり、しかも、本件発明１乃至本件発明４の発明者が上記甲第１号証明細書に記載された発明の発明者と同一でなく、その出願の時において、その出願人が甲第１号証の出願の出願人と同一でないので、本件発明１乃至本件発明４の特許は、特許法第２９条の２第１項の規定に違反してなされたものであるから、取り消すべきものである旨主張している。
　
３−３．甲第１号証明細書に記載された発明
　甲第１号証明細書には、「防火防煙シャッター」（「発明の名称」）について記載されており、特に、
「建築物内の通路などには、火災時に炎や高温ガス、さらに煙などを遮蔽するための防火防煙シャッターが設けられている。」（【０００２】段落）こと、
「図１及び図２において、防火防煙シャッターを構成するシャッターカーテン１は、耐火性シート２ａ、２ｂと中間部に配した耐火性シートからなる扉３とで構成されている。」（【００１５】段落）こと、
「耐火性シート２ａ、２ｂ及び耐火性シートで構成される扉３は、シリカクロスやガラスクロス、ステンレス鋼線で編んだクロス、その他耐火性材料の繊維でなるクロスなどから選ばれたものを用いることができる。」（【００１６】段落）こと、
「扉３は、上記するように耐火性シート２ａ、２ｂの中間に配してあり、避難口４を構成するもので、扉３の一方の側端部３ａと隣合う耐火性シート２ａの側端部２ｃとは、連続し、或いは縫い合わせや接着５などにより連結され、扉３の他方の側端部３ｂと隣合う耐火性シート２ｂの側端部２ｄとは、互いに重ね合わせた重ね合わせ部６としてある。
　そして、耐火性シート２ａ、２ｂと扉３の耐火性シートの上端部２ｅ，２ｅ，３ｃは、シャフト７に固定されて巻き取られるように構成されている。また、これら耐火性シート２ａ、２ｂと扉３の下端部２ｆ、２ｇ、３ｄは、互いに連結されずにフリーな状態に構成されているので、扉３は、耐火性シート２ａ側の側端部３ａと上端部３ｃとが束縛された片開き構造となっている。」（【００１７】段落及び【００１８】段落）こと、
「シャッターカーテン１の下端部には、後記する重り１０となる細長い座板１１が設けられている。火災時に、シャッターカーテン１は、重り１０によって上記シャフト７に巻き取られた状態から巻き解かれて下降する。」（【００１９】段落）こと、
「上記するように扉３の上端部３ｃは、シャフト７に固定され、その下端部３ｄは、図３に示すように上記重り１０と分離される重り１２が設けられている。この重り１２は、耐火性シート２ａの側端部２ｃ側の下端部２ｆと自在継ぎ手１３によって結合され、また、扉３の両下端部においてロック機構１４を有する固定手段によって重り１０と係合されている。
　このロック機構１４は、踏み板１５を踏むことによって解除され、その状態で扉３を前方に押すことにより扉３は、自在継ぎ手１３を支点として、重り１２を動かすことができ、その下端部３ｄ側が大きく開放され、図５に示すように片開き構造の避難口４が形成される。」（【００２０】段落及び【００２１】段落）ことが、図面と共に記載されている。
　また、図３の記載からみて、重り１２は重り１０の側面に沿って位置すること、及び、自在継ぎ手１３は、重り１２の端部と重り１０とを結合していることが窺える。
　これらのことからみて、甲第１号証明細書には、
　天井側から垂下される、不燃性または耐火性の可撓性を有する耐火シート２ａ、２ｂとその中間部に配した耐火シートからなる扉３とで構成されたシャッターカーテン１を備え、該シャッターカーテン１において、該扉３の一方の側端部は該耐火シート２ａと連続或いは連結され、該扉３の他方の側端部と該耐火シート２ｂの側端部とは互いに重ね合わせることによって形成される重ね合わせ部６とされ、該扉３は耐火シート２ａ側の側端部と上端部が束縛された片開き構造の避難口４を構成しており、該扉３の下端部に設けられた重り１２と、該扉３の下端部を除き上記シャッターカーテン１の下端部に設けられた重り１０を備え、該重り１０に対し該重り１２を回動自在に結合する自在継ぎ手１３を備えた防火防煙シャッター。
なる発明（以下、「甲第１号証明細書に記載された発明１」という。）が記載されているといえる。
　さらに、甲第１号証明細書には、
「なお、図示省略するが、扉３を２つ並べて設け、双方向に通過可能な避難口４を２つ構成することができる。この場合、一方の扉３は、隣合う耐火シート２ａと上記する片開き構造とし、他方の扉３は、隣合う耐火シート２ｂと同様に上記する片開き構造とするとよく、また隣合う扉３，３には、逆台形状のカバー１７を重ね合わせるように構成するなど本発明に開示した手段を適宜採用するとよい。」（【００４０】段落）なる記載がある。
　さらに上記の記載を加えて検討すると、甲第１号証明細書には、
　天井側から垂下される、不燃性または耐火性の可撓性を有する耐火シート２ａ、２ｂと２つ並べて設けた耐火シートからなる扉３、３とで構成されたシャッターカーテン１を備え、該シャッターカーテン１において、該扉３，３は片開き構造で、しかも双方向に通過可能な避難口４を２つ構成しており、該扉３、３の下端部に設けられた重り１２、１２と、該重り１２，１２とは分離されてそれらの側部を通り、上記シャッターカーテン１の下端部に設けられた重り１０とを備え、該重り１０に対し該重り１２、１２の端部を夫々回動自在に連結する自在継ぎ手１３とを備えた防火防煙シャッター。
なる発明（以下、「甲第１号証明細書に記載された発明２」という。）が記載されているといえる。
　
３−３．対比、判断
［本件発明１について］
　本件発明１と甲第１号証明細書に記載された発明１とを対比すると、
後者における「シャッターカーテン１」は、その機能、材質からみて、建物の内部空間を間仕切りするものといえ、前者における「スクリーン幕」に相当するものである。また、後者における「重り１２」、「重り１０」は、各々、前者における「扉用ウエイトバー」、「スクリーン用ウエイトバー」に相当するものであり、後者の「防火防煙シャッター」は、その機能からみて、前者でいう「防火区画用スクリーン装置」といえるものである。さらに、後者において、扉３は、耐火シート２ａ側の側端部と上端部とが束縛されていることからみて、重ね合わせ部６は、扉３の下端部との間に三角形状でその斜辺に沿って折り曲げ自在な扉部を形成するものである。
よって、両者は、
　天井側から垂下されて建物の内部空間を間仕切りする不燃性または耐火性の可撓性を有するスクリーン幕と、該扉部の下端縁に沿ってこれに取り付けられた扉用ウエイトバーと、該扉部を除いて該スクリーン幕の下端縁に沿ってこれに取り付けられたスクリーン用ウエイトバーと、該スクリーン用ウエイトバーに対し該扉用ウエイトバーを回動自在に連結する枢着部材とを備えた防火区画用スクリーン装置。で一致し、
ア．前者は、スクリーン幕の下端縁から上向きに当該スクリーン幕の途中まで形成され、該スクリーン幕をその下端縁から途中までの間で左右に分断して該スクリーン幕の下端縁との間に三角形状でその斜辺に沿って折り曲げ自在な扉部を形成するスリット部を備えるものであるのに対し、後者は、スクリーン幕が耐火シートと耐火シートからなる扉から構成されるものであり、しかも、耐火シートの側端部と扉の側端部とを互いに重ね合わせることによって形成され、扉の下端縁との間に三角形状でその斜辺に沿って折り曲げ自在な扉部を形成する重ね合わせ部を備えるものである点、において相違し、また、
イ．枢着部材が、前者は、扉用ウエイトバーをスクリーン用ウエイトバーに対し水平方向と鉛直方向とに回動させる２軸を有するものであるのに対し、後者は、自在継ぎ手である点において一応相違する。
　相違点イ．について検討すると、自在継ぎ手については甲第２号証の「自在継手」の欄にも記載されているところであるが、一方の部材に対して他方の部材を水平方向と鉛直方向とに回動させる２軸を有する自在継ぎ手は本件の出願前周知である（必要であれば、実願昭６１−１７７５０２号（実開昭６３−８２６０９号）のマイクロフィルム、実願昭５４−１７１９０４号（実開昭５６−８８８４３号）のマイクロフィルム、実願平２−１１９８３６号（実開平４−７５２１７号）のマイクロフィルム等を参照されたい。）ことからみて、甲第１号証明細書に記載された発明１は、自在継ぎ手として、扉用ウエイトバーをスクリーン用ウエイトバーに対し水平方向と鉛直方向とに回動させる２軸を有するものを用いたものも含むものと認められるから、この相違点イ．は実質的な相違点を構成しないものである。
  しかし、本件発明１は、上記相違点ア．の点で甲第１号証明細書に記載された発明１と相違するものであるから、本件発明１は甲第１号証明細書に記載された発明１と同一の発明であるとはいえないものである。
　
［本件発明２について］
　本件発明２と甲第１号証明細書に記載された発明１とを対比すると、［本件発明１について］で述べたとおりであるから、両者は、
　天井側から垂下されて建物の内部空間を間仕切りする不燃性または耐火性の可撓性を有するスクリーン幕と、該扉部の下端縁に沿ってこれに取り付けられた扉用ウエイトバーと、該扉部を除いて該スクリーン幕の下端縁に沿ってこれに取り付けられたスクリーン用ウエイトバーと、該スクリーン用ウエイトバーに対し該扉用ウエイトバーを回動自在に連結する枢着部材とを備えた防火区画用スクリーン装置。で一致し、
ウ．前者は、スクリーン幕の下端縁から上向きに形成され、該スクリーン幕を左右に分断して該スクリーン幕の下端縁との間に三角形状でその斜辺に沿って折り曲げ自在な扉部を形成するスリット部を備えるものであるのに対し、後者は、スクリーン幕が耐火シートと耐火シートからなる扉から構成されるものであり、しかも、耐火シートの側端部と扉の側端部とを互いに重ね合わせることによって形成され、扉の下端縁との間に三角形状でその斜辺に沿って折り曲げ自在な扉部を形成する重ね合わせ部を備えるものである点、及び、
エ．枢着部材が、前者は、スクリーン用ウエイトバーに対し扉用ウエイトバーを水平方向に回動自在に連結するとともに、その回動軸に沿って該扉用ウエイトバーを鉛直方向に昇降移動可能に連結するものであるのに対し、後者は、自在継ぎ手である点、において相違する。
　よって、本件発明２は、上記相違点ウ．及び相違点エ．の点で甲第１号証明細書に記載された発明１と相違するものであるから、本件発明２は甲第１号証明細書に記載された発明１と同一の発明であるとはいえないものである。
　
［本件発明３について］
　本件発明３と甲第１号証明細書に記載された発明２を対比すると、
後者における「シャッターカーテン１」は、その機能、材質からみて、建物の内部空間を間仕切りするものといえ、前者における「スクリーン幕」に相当するものである。また、後者における「重り１２」、「重り１０」は、各々、前者における「扉用ウエイトバー」、「スクリーン用ウエイトバー」に相当するものであり、後者の「防火防煙シャッター」は、その機能からみて、前者でいう「防火区画用スクリーン装置」といえるものである。
 しかし、後者において、並べて設けられた２つの片開きの扉３，３は、異議申立人が甲第３号証の図面によって主張するように、耐火シート２ａと一方の扉３との間、及び耐火シート２ｂと他方の扉３との間が重ね合わせ部となっていて、片開きの扉３，３は、夫々耐火シート２ａ、２ｂとの間で相反する方向に開き、双方向に通過可能な避難口４を２つ構成するのか、或いは、耐火シート２ａと一方の扉３との間、及び耐火シート２ｂと他方の扉３との間が連続或いは連結され、片開きの扉３，３は、それらの間を境として相反する方向に開き、双方向に通過可能な避難口４を２つ構成するのか、必ずしも明確でない。
よって、両者は、
　天井側から垂下されて建物の内部空間を間仕切りする不燃性または耐火性の可撓性を有するスクリーン幕と、該扉部の下端縁に沿ってこれに取り付けられた扉用ウエイトバーと、該扉用ウエイトバーとは分離されて、該スクリーン幕の下端縁に沿ってこれに取り付けられたスクリーン用ウエイトバーと、該スクリーン用ウエイトバーに対し該扉用ウエイトバーを回動自在に連結する枢着部材とを備えた防火区画用スクリーン装置。で一致し、
オ．前者は、スクリーン幕の下端縁から上向きに形成され、該スクリーン幕を左右に分断して該スクリーン幕に矩形状の捻り回転自在な扉部を形成するスリット部を備えたものであるのに対し、後者は、スクリーン幕が耐火シートと耐火シートからなる２つの扉から構成されたものであり、しかも、扉部の構造が特定されていない点、及び、
カ．前者は、スクリーン用ウエイトバーは扉用ウエイトバーの下側を通り、枢着部材はスクリーン用ウエイトバーに対し扉用ウエイトバーの中央部を連結するものであるのに対し、後者は、スクリーン用ウエイトバーは扉用ウエイトバーの側部を通るものであり、枢着部材はスクリーン用ウエイトバーに対し扉用ウエイトバーの端部を夫々連結するものである点、において相違し、
キ．枢着部材が、前者は、扉用ウエイトバーをスクリーン用ウエイトバーに対し水平方向と鉛直方向とに回動させる２軸を有するものであるのに対し、後者は、自在継ぎ手である点で一応相違する。
　相違点キ．は、［本件発明１について］で述べた相違点イ．と同じものであり、相違点イ．について［本件発明１について］で述べたことと同じ理由により、実質的な相違点を構成しないものである。
　しかし、本件発明３は、上記相違点オ．及び相違点カ．の点で甲第１号証明細書に記載された発明２と相違するものであるから、本件発明３は甲第１号証明細書に記載された発明２と同一の発明であるとはいえないものである。
　
［本件発明４について］
　本件発明４と甲第１号証明細書に記載された発明２を対比すると、［本件発明３について］で述べたとおりであるから、両者は、
　天井側から垂下されて建物の内部空間を間仕切りする不燃性または耐火性の可撓性を有するスクリーン幕と、該扉部の下端縁に沿ってこれに取り付けられた扉用ウエイトバーと、該扉用ウエイトバーとは分離されて、該スクリーン幕の下端縁に沿ってこれに取り付けられたスクリーン用ウエイトバーと、該スクリーン用ウエイトバーに対し該扉用ウエイトバーを回動自在に連結する枢着部材とを備えた防火区画用スクリーン装置。で一致し、
ク．前者は、スクリーン幕の下端縁から上向きに形成され、該スクリーン幕を左右に分断して該スクリーン幕に矩形状の捻り回転自在な扉部を形成するスリット部を備えたものであるのに対し、後者は、スクリーン幕が耐火シートと耐火シートからなる２つの扉から構成されたものであり、しかも、扉部の構造が特定されていない点、
ケ．前者は、スクリーン用ウエイトバーは扉用ウエイトバーの下側を通り、枢着部材はスクリーン用ウエイトバーに対し扉用ウエイトバーの中央部を連結するものであるのに対し、後者は、スクリーン用ウエイトバーは扉用ウエイトバーの側部を通るものであり、枢着部材はスクリーン用ウエイトバーに対し扉用ウエイトバーの端部を夫々連結するものである点、及び、
コ．枢着部材が、前者は、スクリーン用ウエイトバーに対し扉用ウエイトバーを水平方向に回動自在に連結するとともに、その回動軸に沿って扉用ウエイトバーを鉛直方向に昇降移動可能に連結するものであるのに対し、後者は、自在継ぎ手である点、において相違する。
　よって、本件発明４は、上記相違点ク．相違点ケ．及び相違点コの点で甲第１号証明細書に記載された発明２と相違するものであるから、本件発明４は甲第１号証明細書に記載された発明２と同一の発明であるとはいえないものである。
　
３−５．むすび
　以上のとおりであるから、特許異議申立ての理由及び証拠によっては、本件発明１乃至本件発明４の特許を取り消すことはできない。
　また、他に本件発明１乃至４の特許を取り消すべき理由を発見しない。
　よって、結論のとおり決定する。　
【異議決定日】
平成１２年１０月１６日（２０００．１０．１６）
【訂正の要旨】
　本件訂正請求の要旨は、特許第２９５９５６７号の明細書を、本件訂正請求書に添付した訂正明細書のとおりに訂正しようとするもので、その訂正の内容は、下記ａ〜ｅのとおりである。
ａ．特許請求の範囲【請求項１】において「該スクリーン幕の下端縁から上向きに形成され、該スクリーン幕を左右に分断して該スクリーン幕の下端縁との間に三角形状でその斜辺に沿って折り曲げ自在な扉部を形成するスリット部」とあるのを、「該スクリーン幕の下端縁から上向きに当該スクリーン幕の途中まで形成され、該スクリーン幕をその下端縁から途中までの間で左右に分断して該スクリーン幕の下端縁との間に三角形状でその斜辺に沿って折り曲げ自在な扉部を形成するスリット部」と訂正する。
ｂ．明細書【００１２】段落において「該スクリーン幕の下端縁から上向きに形成され、該スクリーン幕を左右に分断して該スクリーン幕の下端縁との間に三角形状でその斜辺に沿って折り曲げ自在な扉部を形成するスリット部」とあるのを、「該スクリーン幕の下端縁から上向きに当該スクリーン幕の途中まで形成され、該スクリーン幕をその下端縁から途中までの間で左右に分断して該スクリーン幕の下端縁との間に三角形状でその斜辺に沿って折り曲げ自在な扉部を形成するスリット部」と訂正する。
ｃ．明細書【００１４】段落において「スクリーン幕の下端縁から上向きに形成されたスリット部」とあるのを、「スクリーン幕の下端縁から上向きに当該スクリーン幕の途中まで形成されたスリット部」と訂正する。
ｄ．明細書【００２９】段落において「スクリーン幕１２には、下端縁中央部から上向きにスリット部２０が形成されていて、スクリーン幕１２は左右に分断されている。」とあるのを、「スクリーン幕１２には、下端縁中央部から上向きに当該スクリーン幕１２の途中までスリット部２０が形成されていて、スクリーン幕１２はその下端縁から途中までの間で左右に分断されている。」と訂正する。
ｅ．明細書【００３７】段落において「該スクリーン幕１２の下端縁から上向きに形成されたスリット部２０」とあるのを、「該スクリーン幕１２の下端縁から上向きに当該スクリーン幕１２の途中まで形成されたスリット部２０」と訂正する。
（５４）【発明の名称】
防火区画用スクリーン装置
（５７）【特許請求の範囲】
　　【請求項１】　天井側から垂下されて建物の内部空間を間仕切りする不燃性または耐火性の可撓性を有するスクリーン幕と、
　該スクリーン幕の下端縁から上向きに
当該スクリーン幕の途中まで
その下端縁から途中までの間で
　該扉部の下端縁に沿ってこれに取り付けられた扉用ウエイトバーと、
　該扉部を除いて該スクリーン幕の下端縁に沿ってこれに取り付けられたスクリーン用ウエイトバーと、
　該スクリーン用ウエイトバーに対し該扉用ウエイトバーを回動自在に連結する枢着部材とを備え、
　該枢着部材は、上記扉用ウエイトバーを上記スクリーン用ウエイトバーに対し水平方向と鉛直方向とに回動させる２軸を有することを特徴とする防火区画用スクリーン装置。
　　【請求項２】　天井側から垂下されて建物の内部空間を間仕切りする不燃性または耐火性の可撓性を有するスクリーン幕と、
　該スクリーン幕の下端縁から上向きに形成され、該スクリーン幕を左右に分断して該スクリーン幕の下端縁との間に三角形状でその斜辺に沿って折り曲げ自在な扉部を形成するスリット部と、
　該扉部の下端縁に沿ってこれに取り付けられた扉用ウエイトバーと、
　該扉部を除いて該スクリーン幕の下端縁に沿ってこれに取り付けられたスクリーン用ウエイトバーと、
　該スクリーン用ウエイトバーに対し該扉用ウエイトバーを水平方向に回動自在に連結するとともに、その回動軸に沿って該扉用ウエイトバーを鉛直方向に昇降移動可能に連結する枢着部材と、
　を備えたことを特徴とする防火区画用スクリーン装置。
　　【請求項３】　天井側から垂下されて建物の内部空間を間仕切りする不燃性または耐火性の可撓性を有するスクリーン幕と、
　該スクリーン幕の下端縁から上向きに形成され、該スクリーン幕を左右に分断して該スクリーン幕に矩形状の捻り回転自在な扉部を形成するスリット部と、
　該扉部の下端縁に沿ってこれに取り付けられた扉用ウエイトバーと、
　該扉用ウエイトバーとは分離されてその下側を通り、該スクリーン幕の下端縁に沿ってこれに取り付けられたスクリーン用ウエイトバーと、
　該スクリーン用ウエイトバーに対し該扉用ウエイトバーの中央部を回動自在に連結する枢着部材とを備え、
　該枢着部材は、上記扉用ウエイトバーを上記スクリーン用ウエイトバーに対し水平方向と鉛直方向とに回動させる２軸を有することを特徴とする防火区画用スクリーン装置。
　　【請求項４】　天井側から垂下されて建物の内部空間を間仕切りする不燃性または耐火性の可撓性を有するスクリーン幕と、
　該スクリーン幕の下端縁から上向きに形成され、該スクリーン幕を左右に分断して該スクリーン幕に矩形状の捻り回転自在な扉部を形成するスリット部と、
　該扉部の下端縁に沿ってこれに取り付けられた扉用ウエイトバーと、
　該扉用ウエイトバーとは分離されてその下側を通り、該スクリーン幕の下端縁に沿ってこれに取り付けられたスクリーン用ウエイトバーと、
　該スクリーン用ウエイトバーに対し該扉用ウエイトバーの中央部を水平方向に回動自在に連結するとともに、その回動軸に沿って該扉用ウエイトバーを鉛直方向に昇降移動可能に連結する枢着部材と、
　を備えたことを特徴とする防火区画用スクリーン装置。
【発明の詳細な説明】
　　　【０００１】
　　【発明の属する技術分野】
　本発明は、不燃性または耐火性に富んだスクリーン幕を天井側から垂下して建物の内部空間を間仕切りすることにより、建物の延焼や煙の拡散を防止する防火区画用スクリーン装置に係り、特に、スクリーン幕に下端縁から上向きに形成されたスリット部を通じて人が容易にスクリーン幕を通過できる防火区画用スクリーン装置に関する。
　　　【０００２】
　　【従来の技術】
　建物の内部には、従来から、火災時に備えて、火炎や煙を遮断するための防火隔壁や防火シャッターなどの防火設備や、人が避難できるようにするための防火扉などの避難通路などが計画的に配備されている。最近、これら防火隔壁や防火シャッターなどに代わる新しい防火設備として、不燃性または耐火性に富んだスクリーン幕を使用して火炎や煙を遮断する防火区画用スクリーン装置が注目されるに至っている。
　　　【０００３】
　この防火区画用スクリーン装置は、不燃性または耐火性に富み可撓性を有するスクリーン幕を巻取軸から繰り出して天井側から垂下させて設置したもので、スクリーン幕の下端縁には棒体状のウエイトバーが取り付けられていて、スクリーン幕の揺動を防止しその姿勢を安定した状態に保持するようになっている。これによって、防火区画用スクリーン装置は、建物の室内空間を間仕切りし、火炎や煙を遮断するようになっている。
　　　【０００４】
　一方、この防火区画用スクリーン装置には、避難時にスクリーン幕を人が容易に通過できるようにするために、スクリーン幕の下端縁から上向きに所定高さに亘ってスクリーン幕を左右に分断するスリット部を形成してあり、このスリット部によってスクリーン幕のスリット部の片側には、三角形状でその斜辺に沿って折り曲げ自在な扉部が形成されている。従って、この扉部に対応する下端部のウエイトバーは、スクリーン幕の一般部分の下端部のウエイトバーと分離して開閉可能となっている。
　　　【０００５】
　従って、分離された扉部のウエイトバーの回動中心側は、一般部分のウエイトバーに枢着しておくことが望ましく、従来では図１４に示すように枢着部材としての蝶番１を介して扉部５のウエイトバー２と一般部分のウエイトバー３とが蝶着される。尚、同図中一点鎖線はスクリーン幕４の折り曲げ部分Ｃを示し、この折り曲げ部分Ｃから図中左方に適宜間隔をもって上記スリット部が形成され、図中該折り曲げ部分Ｃより左側が扉部５となっている。このとき、上記蝶番１は傾斜して取り付けられ、これの回動中心となるピン１ａを上記折り曲げ部分Ｃと同軸に配置することにより、上記扉部５の開閉を滑らかに行うようになっている。
　　　【０００６】
　そして、上記折り曲げ部分Ｃが傾斜していることにより扉部５は斜め上方に持ち上げられつつ開動し、その後、ウエイトバー２の自重によって扉部５は自動的に閉動されるようになっている。従って、火災発生により上記スクリーン幕４は直ちに遮断され、この状態で避難する人は扉部５を押し開いて該スクリーン幕４を通過するが、通過した後は閉じ力を付加することなく該扉部５は自然に閉動されて、延焼を阻止するようになっている。
　　　【０００７】
　　【発明が解決しようとする課題】
　ところで、人が避難時にスクリーン膜４の扉部５を開けようとすれば、当然のことながら手、若しくは肩で押し開くことになり、従って扉部５は床面よりもだいぶ高い位置が開放力の入力点になって押し開かれることになる。ここで、図１５中に仮想線Ｌ１で示すように、扉部５が撓まずに平らな板状のままで開放作動すれば、傾斜して取り付けられた蝶番１のピン１ａを回動中心軸にして極めて円滑に動作することになる。
　　　【０００８】
　しかしながら、スクリーン膜４の扉部５は可撓性に富み、しかも扉５の下端にもウエイトバー２が取り付けられて、扉部５は絶えず鉛直に吊り下がろうとしているから、人が扉部５を押し開こうとしたときにも、扉部５はその開放力Ｆの入力点で大きく撓んで湾曲し、それより下側部分が吊り下がった状態で開放動作することになる。つまり、ピン１ａを中心軸として回動ずるウェイトバー２の先端部の本来的な揺動軌跡をＭとすると、上記扉部５の湾曲によりウエイトバー２の先端部の実際の位置はその揺動軌跡Ｍよりもδだけ上方に引き上げられることになる。
　　　【０００９】
　従って、その引き上げ力は蝶番１にそのピン１ａを曲げようとするモーメント力となって作用することになるので、これが抵抗になつて扉の円滑な開放作動が損なわれてしまうという課題があった。
　　　【００１０】
　また、上記従来の防火区画用スクリーン装置では、ウエイトバー２の自重により扉部５は自動的に閉動されるが、火災により発生する空気対流や外気の流入等でスクリーン幕４の内外間に圧力差が発生した場合、この圧力差により上記扉部５が高圧側から低圧側に押圧されて開動されるため密閉性が損なわれ、スクリーン幕の防火機能が低下されるという課題もあった。
　　　【００１１】
　本発明はかかる従来の課題に鑑みて成されたもので、その第１の目的は、人が扉を押し開こうとしたときに枢着部材にこれをこじる様なモーメント力が作用することがなく円滑に開放作動させることができる防火区画用スクリーン装置を提供することにある。また、第２の目的は、スクリーン幕に形成された扉部が上記圧力差により回動されて扉部の密閉性が損なわれることがない防火区画用スクリーン装置を提供することにある。
　　　【００１２】
　　【課題を解決するための手段】
　上記第１の目的を達成するために、本発明の請求項１に示す防火区画用スクリーン装置は、天井側から垂下されて建物の内部空間を間仕切りする不燃性または耐火性の可撓性を有するスクリーン幕と、該スクリーン幕の下端縁から上向きに
当該スクリーン幕の途中まで
その下端縁から途中までの間で
　　　【００１３】
　上記構成に係る請求項１の防火区画用スクリーン装置では、火災時に上記スクリーン幕を天井側から垂下させて建物の内部空間を間仕切りすることにより、火炎や煙を遮断して延焼を防止する。一方、避難者は、スクリーン幕に形成された扉部の表面を押圧し、これをスクリーン幕の裏側へ押し出すことによって、該扉部は開放側に形成したスリット部が大きく開けられて開動され、この開けられた部分から人が通過して避難することができる。
　　　【００１４】
　上記扉部は、スクリーン幕の下端縁から上向きに
当該スクリーン幕の途中まで
　　　【００１５】
　そして、開放状態にある上記扉部は、上記扉用ウエイトバーの自重による復帰力にによって自動的に閉動され、この扉部の閉止状態は扉用ウエイトバーの自重をもって維持される。
　　　【００１６】
　また、上記第１の目的を達成するために、本発明の請求項２に示す防火区画用スクリーン装置は、天井側から垂下されて建物の内部空間を間仕切りする不燃性または耐火性の可撓性を有するスクリーン幕と、該スクリーン幕の下端縁から上向きに形成され、該スクリーン幕を左右に分断して該スクリーン幕の下端縁との間に三角形状でその斜辺に沿って折り曲げ自在な扉部を形成するスリット部と、該扉部の下端縁に沿ってこれに取り付けられた扉用ウエイトバーと、該扉部を除いて該スクリーン幕の下端縁に沿ってこれに取り付けられたスクリーン用ウエイトバーと、該スクリーン用ウエイトバーに対し該扉用ウエイトバーを水平方向に回動自在に連結するとともに、その回動軸に沿って該扉用ウエイトバーを鉛直方向に昇降移動可能に連結する枢着部材と、を備えたことを特徴とする。
　　　【００１７】
　上記構成に係る請求項２の防火区画用スクリーン装置では、火災時に上記スクリーン幕を天井側から垂下させて建物の内部空間を間仕切りすることにより、火炎や煙を遮断して延焼を防止する。一方、避難者は、スクリーン幕に形成された扉部の表面を押圧し、これをスクリーン幕の裏側へ押し出すことによって、該扉部は開放側に形成したスリット部が大きく開けられて開動され、この開けられた部分から人が通過して避難することができる。
　　　【００１８】
　上記扉部は、スクリーン幕の下端縁から上向きに形成されたスリット部と、これを一辺とする斜辺とによって三角形状に形成されており、該扉部の開動時には該斜辺に沿って折り曲げられるようになっている。この扉部の開動時には、扉用ウエイトバーはスクリーン用ウエイトバーに対して、枢着部材により水平方向に回動するとともに鉛直方向に上昇移動する。このため、人が避難時に扉を手、若しくは肩等により、床面よりもだいぶ高い位置を開放力の入力点にして押し開き、扉がその開放力の入力点で大きく撓んで湾曲し、それより下側部分が吊り下がった状態で開放動作して、これにより扉用ウエイトバーにその揺動先端部側を上方に引き上げるような力が作用しても、当該扉用ウエイトバーは枢着部材の回動軸に沿って全体的に上方に向けて上昇移動するから、枢着部材の回動軸にこれをこじる様なモーメント力が作用することがなく、扉の円滑な開放作動が損なわれることがない。
　　　【００１９】
　そして、開放状態にある上記扉部は、上記扉用ウエイトバーの自重による復帰力にによって自動的に閉動され、この扉部の閉止状態は扉用ウエイトバーの自重をもって維持される。
　　　【００２０】
　さらに上記第１，第２の目的を達成するために、本発明の請求項３に示す防火区画用スクリーン装置は、天井側から垂下されて建物の内部空間を間仕切りする不燃性または耐火性の可撓性を有するスクリーン幕と、該スクリーン幕の下端縁から上向きに形成され、該スクリーン幕を左右に分断して該スクリーン幕に矩形状の捻り回転自在な扉部を形成するスリット部と、該扉部の下端縁に沿ってこれに取り付けられた扉用ウエイトバーと、該扉用ウエイトバーとは分離されてその下側を通り、該スクリーン幕の下端縁に沿ってこれに取り付けられたスクリーン用ウエイトバーと、該スクリーン用ウエイトバーに対し該扉用ウエイトバーの中央部を回動自在に連結する枢着部材とを備え、該枢着部材は、上記扉用ウエイトバーを上記スクリーン用ウエイトバーに対し水平方向と鉛直方向とに回動させる２軸を有することを特徴とする。
　　　【００２１】
　上記構成に係る請求項３の防火区画用スクリーン装置では、火災時に上記スクリーン幕を天井側から垂下させて建物の内部空間を間仕切りすることにより、火炎や煙を遮断して延焼を防止する。一方、避難者は、スクリーン幕に形成された扉部の表面を押圧し、これをスクリーン幕の裏側へ押し出すことによって、該扉部は開放側に形成したスリット部が大きく開けられて開動され、この開けられた部分から人が通過して避難することができる。
　　　【００２２】
　上記扉部は、スクリーン幕の下端縁から上向きに形成されたスリット部によって矩形状に形成されており、該扉部の開動時にはその扉用ウエイトバーの中央部に設けられた枢着部材により捩れながら下側が大きく回転されるようになっている。この扉部の開動時には、扉用ウエイトバーはスクリーン用ウエイトバーに対して、枢着部材により水平方向に回動するとともに鉛直方向に回動して揺動先端側が上昇移動する。このため、人が避難時に扉を手、若しくは肩等により、床面よりもだいぶ高い位置を開放力の入力点にして押し開き、扉がその開放力の入力点で大きく撓んで湾曲し、それより下側部分が吊り下がった状態で開放動作して、これにより扉用ウエイトバーにその揺動先端部側を上方に引き上げるような力が作用しても、当該扉用ウエイトバーは鉛直方向にも回動してのその揺動先端側が上方に向けて上昇移動するから、枢着部材の回動軸にこれをこじる様なモーメント力が作用することがなく、扉の円滑な開放作動が損なわれることがない。
　　　【００２３】
　そして、開放状態にある上記扉部は、上記扉用ウエイトバーの自重による復帰力にによって自動的に閉動され、この扉部の閉止状態は扉用ウエイトバーの自重をもって維持される。また、閉止状態にあるときに、火災により発生する空気対流や外気の流入等でスクリーン幕の内外間に圧力差が発生した場合でも、扉はその下端縁の扉用ウエイトバーが中央部で枢着部材を介してスクリーン用ウエイトバーに回動自在に連結されているから、その振れ回転軸に対して左右対称に上記内外圧力差が働くから、当該圧力差による扉の回転モーメントは相殺される。このため、スクリーン幕の内外間に圧力差が発生した場合にも、扉部が開くのを阻止することができ、もって該スクリーン幕の密閉性を維持して、延焼防止効果を大幅に向上することができる。
　　　【００２４】
　また、上記第１，第２の目的を達成するために、本発明の請求項４に示す防火区画用スクリーン装置は、天井側から垂下されて建物の内部空間を間仕切りする不燃性または耐火性の可撓性を有するスクリーン幕と、該スクリーン幕の下端縁から上向きに形成され、該スクリーン幕を左右に分断して該スクリーン幕に矩形状の捻り回転自在な扉部を形成するスリット部と、該扉部の下端縁に沿ってこれに取り付けられた扉用ウエイトバーと、該扉用ウエイトバーとは分離されてその下側を通り、該スクリーン幕の下端縁に沿ってこれに取り付けられたスクリーン用ウエイトバーと、該スクリーン用ウエイトバーに対し該扉用ウエイトバーの中央部を水平方向に回動自在に連結するとともに、その回動軸に沿って該扉用ウエイトバーを鉛直方向に昇降移動可能に連結する枢着部材と、を備えたことを特徴とする。
　　　【００２５】
　上記構成に係る請求項４の防火区画用スクリーン装置では、火災時に上記スクリーン幕を天井側から垂下させて建物の内部空間を間仕切りすることにより、火炎や煙を遮断して延焼を防止する。一方、避難者は、スクリーン幕に形成された扉部の表面を押圧し、これをスクリーン幕の裏側へ押し出すことによって、該扉部は開放側に形成したスリット部が大きく開けられて開動され、この開けられた部分から人が通過して避難することができる。
　　　【００２６】
　上記扉部は、スクリーン幕の下端縁から上向きに形成されたスリット部によって矩形状に形成されており、該扉部の開動時にはその扉用ウエイトバーの中央部に設けられた枢着部材により捩れながら下側が大きく回転されるようになっている。この扉部の開動時には、扉用ウエイトバーはスクリーン用ウエイトバーに対して、枢着部材により水平方向に回動するとともに鉛直方向に上昇移動する。このため、人が避難時に扉を手、若しくは肩等により、床面よりもだいぶ高い位置を開放力の入力点にして押し開き、扉がその開放力の入力点で大きく撓んで湾曲し、それより下側部分が吊り下がった状態で開放動作して、これにより扉用ウエイトバーにその揺動先端部側を上方に引き上げるような力が作用しても、当該扉用ウエイトバーは枢着部材の回動軸に沿って全体的に上方に向けて上昇移動するから、枢着部材の回動軸にこれをこじる様なモーメント力が作用することがなく、扉の円滑な開放作動が損なわれることがない。
　　　【００２７】
　そして、開放状態にある上記扉部は、上記扉用ウエイトバーの自重による復帰力にによって自動的に閉動され、この扉部の閉止状態は扉用ウエイトバーの自重をもって維持される。また、閉止状態にあるときに、火災により発生する空気対流や外気の流入等でスクリーン幕の内外間に圧力差が発生した場合でも、扉はその下端縁の扉用ウエイトバーが中央部で枢着部材を介してスクリーン用ウエイトバーに回動自在に連結されているから、その振れ回転軸に対して左右対称に上記内外圧力差が働くから、当該圧力差による扉の回転モーメントは相殺される。このため、スクリーン幕の内外間に圧力差が発生した場合にも、扉部が開くのを阻止することができ、もって該スクリーン幕の密閉性を維持して、延焼防止効果を大幅に向上することができる。
　　　【００２８】
　　【発明の実施の形態】
　以下、本発明の実施形態を添付図面に基づき詳細に説明する。図１から図４は本願の第１発明に係る防火区画用スクリーン装置の一実施形態を示し、図１は防火区画用スクリーン装置を全体的に示す斜視図、図２は防火区画用スクリーン装置の扉部が開いたときの斜視図、図３は要部である枢着部材取付部の斜視図、図４はその要部拡大正面図で、（ａ）は閉止状態を示し、（ｂ）は開放作動状態を示す。
　　　【００２９】
　即ち、この実施形態の防火区画用スクリーン装置１０は、図１に示すようにスクリーン幕１２と、このスクリーン幕１２の上方に設けられてこれの繰り出しおよび巻き取りを行う巻取軸１４と、スクリーン幕１２の下端縁に取り付けられた帯板状のスクリーン用ウエイトバー１６および扉用ウエイトバー１８とを備えている。そして、スクリーン幕１２には、下端縁中央部から上向きに
当該スクリーン幕１２の途中まで
その下端縁から途中までの間で
　　　【００３０】
　ここで、スクリーン幕１２は、ガラス繊維の織布やシリカクロスなどの不燃性あるいは耐火性に富んだ布製の素材から形成されていて、天井側から垂れ下ろされて建物の室内空間を間仕切りしたときに、火炎または煙を遮断する機能を有している。
　　　【００３１】
　他方、巻取軸１４は、例えば建物の内部の天井側に水平方向に沿って配設され、火災時にスクリーン幕１２を繰り出して天井側から垂れ下ろすとともに、スクリーン幕１２が不要になったときには、これを巻き取って天井側に格納する場合に使用される。巻取軸１４によるスクリーン幕１２の繰り出しまたは巻き取りについては、当該巻取軸１４を例えば巻取駆動装置などに連結すれば自動的に行うことができる。
　　　【００３２】
　また、スクリーン用ウエイトバー１６および扉用ウエイトバー１８は、ともにスクリーン幕１２の下端縁に水平に取り付けられている。スクリーン用ウエイトバー１６は、扉用ウェイトバー１８を挟んで左右両側に分割されて配設されているスクリーン用左ウェイトバー１６ａと、スクリーン用右ウェイトバー１６ｂ、及びこれら左右のウエイトバー１６ａ，１６ｂの下部に取り付けられてこれらを一直線上に連結して上記扉用ウエイトバー１８の下側を通る連結ウエイトバー１６ｃとからなる。また、スクリーン用右および左ウエイトバー１６ａ，１６ｂと扉用ウエイトバー１８とは一直線状を成して配列され、扉用ウエイトバー１８と連結ウエイトバー１６ｃとは分離されている。
　　　【００３３】
　また、スクリーン幕１２のスリット部２０の右側部には、当該スリット部２０とスクリーン幕１２の下端縁との間に位置して、三角形状の扉部２２が形成されている。この扉部２２は、スリット部２０の上端部から右斜め下方向に沿って一直線状に延びるその三角形の斜辺２４に沿って折り曲げ自在に形成されている。また、扉部２２の下端縁には、上記扉用ウエイトバー１８が横方向に沿って取り付けられている。そして、この扉部２２は、その表面を手や体で押せば、図２に示すように、斜辺２４に沿って折れ曲がりつつ下端縁に取り付けられた扉用ウエイトバー１８とともにスクリーン幕１２の裏側へ押し出されて、スリット部２０には大きな開口部が形成される。これにより、避難者はこの開口部を通じてスクリーン幕１２の裏側に出て簡単に通過することができ、迅速かつ速やかに安全な場所に避難することができる。
　　　【００３４】
　一方、上記扉用ウエイトバー１８は扉部２２の表面が押圧されることによって若干上方に持ち上げられるため、避難者が通過し扉部２２の表面が押圧から解放されたときは、その自重によって元の位置に復帰するように移動し、スリット部２０は再び閉塞される。
　　　【００３５】
　ここで、図３，図４に示すように扉用ウエイトバー１８とスクリーン用ウエイトバー１６ｂとの間に、枢着部材として蝶番２６が取り付けられ、これら扉用ウエイトバー１８とスクリーン用ウエイトバー１６ｂとは、上記扉部２２の斜辺２４に沿って回動自在に連結されている。
　　　【００３６】
　上記蝶番２６は、スクリーン用ウエイトバー１６の連結ウエイトバー１６ｃに一体的に鉛直方向を指向して立設されて水平方向の回動軸となる鉛直ピン２６ａと、この鉛直ピンに回動自在に嵌合されるボス部材２６ｂ、このボス部材２６ｂの周側面から扉用ウエイトバー１８に向けて側方に一体的に延出形成された接続片２６、及びこの接続片２６ｃに水平方向を指向して植設された水平ピン２６ｄとからなり、この水平ピン２６ｄに扉用ウエイトバー１８の一端が鉛直方向に回動自在に連結されている。つまり、蝶番２６は扉用ウエイトバー１８をスクリーン用ウエイトバー１６に対して、水平方向及び鉛直方向の２軸周りに回動自在に連結している。
　　　【００３７】
　従って、本実施形態の防火区画用スクリーン装置１０にあっては、スクリーン幕１２に形成される扉部２２は、該スクリーン幕１２の下端縁から上向きに
当該スクリーン幕１２の途中まで
　　　【００３８】
　このため、人が避難時に扉部２２を手、若しくは肩等により、床面よりもだいぶ高い位置を開放力Ｆの入力点にして押し開き、扉部２２がその開放力Ｆの入力点で大きく撓んで湾曲し、それより下側部分が吊り下がった状態で開放動作して、これにより扉用ウェイトバー１８にその揺動先端部側を上方に引き上げるような力が作用しても、当該扉用ウエイトバー１８は枢着部材である蝶番２６の水平ピン２６ｄを回動軸にしてその揺動先端側が上方に向けて上昇移動するから、蝶番２６の水平方向の回動軸をなす鉛直ピン２６ａにこれをこじる様なモーメントカが作用することがなく、扉部２２の円滑な開放作動が損なわれることがない。
　　　【００３９】
　また、開放状態にある上記扉部２２は、上記扉用ウエイトバー１８の自重による復帰力によって自動的に閉動されることになる。そして、この扉部２２の閉止状態は扉用ウエイトバー１８の自重をもって維持される。
　　　【００４０】
　図５は第１発明の他の実施形態を示し、上記実施形態と同一構成部分に同一符号を付して重複する説明を省略して述べる。即ち、同図は上記図４に対応する要部拡大正面図で、扉用ウエイトバー１８とスクリーン用ウエイトバー１６ａとの突き合わせ部分に、両者に跨らせて蝶番２８を配設している。この蝶番２８は、スクリーン用ウエイトバー１６ａの端部に一体的に固定された第１取付板２８ａと、この第１取付板２８ａに鉛直方向を指向して形成された嵌合孔に下部が植接された鉛直ピン２８ｂと、この鉛直ピン２８ｂの上部に嵌合孔が回動自在に嵌合されて扉用ウェイトバー１８に向けて側方に延びる第２取付板２８ｃと、この第２取付板に水平方向を指向して取り付けられた水平ピン２８ｄとからなり、扉用ウェイトバー１８は、その水平ピン２８ｄに回動自在に連結されていて、スクリーン用ウェイトバー１６ａに対して、鉛直ピン２８ｂを介して水平方向に回動自在に、かつ水平ピン２８ｄを介して鉛直方向に回動自在になっている。
　　　【００４１】
　従って、この実施形態にあっても、前述の実施形態と全く同様の作用効果が得られる。
　　　【００４２】
　図６は本願の第２発明にかかる防火区画用スクリーン装置の要部拡大正面図であり、前述の第１発明の実施形態例における図４及び図５に対応する。ここで、この第２発明が前述の第１発明と異なる点は枢着部材の蝶番構造のみであるので、当該蝶番以外の共通する部材には同一の符号を付してその説明を省略する。
　　　【００４３】
　即ち、この第２発明では、枢着部材の蝶番３０はスクリーン用ウエイトバー１６に対し、扉用ウエイトバー１８を水平方向に回動自在に連結するとともに、その回動軸に沿って扉用ウエイトバー１８を鉛直方向に昇降移動可能に連結している。つまり、蝶番３０は、スクリーン用ウエイトバー１６ａの一端部に一体的に固定された第１取付板３０ａと、扉用ウエイトバー１８の一端部に取り付けられた第２取付板３０ｃと、これら両取付板３０ａ，３０ｃにそれぞれ鉛直方向を指向して形成された嵌合孔に挿通配置される鉛直ピン３０ｂとからなり、第１取付板３０ａの嵌合孔と第２取付板３０ｃの嵌合孔とは上下に同軸に配されて、第１取付板３０ａの嵌合孔が下側に位置し、鉛直ピン３０ｂはその下部が第１取付板３０ａの嵌合孔に植設されるとともに、第２取付板３０ｃの嵌合孔に対して遊嵌されている。そして、鉛直ピン３０ｂの上部は第２取付板３０ｃの上面から上方に延びて露出し、第２取付板３０ｃを第１取付板３０ａに対して水平方向に回動自在に、かつ上下方向に移動可能に連結していて、その上端部には第２取付板３０ｃの脱落を防止するための拡径部３０ｄが形成されている。
　　　【００４４】
　従って、この第２発明では、扉部２２の開動時には、扉用ウエイトバー１８はスクリーン用ウエイトバー１６ａに対して、枢着部材の蝶番３０により水平方向に回動するとともに鉛直方向に上昇移動する。このため、人が避難時に扉部２２を手、若しくは肩等により、床面よりもだいぶ高い位置を開放力の入力点にして押し開き、扉部２２がその開放力の入力点で大きく撓んで湾曲し、それより下側部分が吊り下がった状態で開放動作して、これにより扉用ウェイトバー１８にその揺動先端部側を上方に引き上げるような力が作用しても、当該扉用ウエイトバー１８は回動軸である蝶番３０の鉛直ピン３０ｂに沿って全体的に上方に向けて上昇移動するから、蝶番３０の鉛直ピン３０ｂにこれをこじる様なモーメント力が作用することがなく、扉部２２の円滑な開放作動が損なわれることがない。
　　　【００４５】
　そして、開放状態にある上記扉部２２は、上記扉用ウエイトバーの自重による復帰力にによって自動的に閉動され、この扉部２２の閉止状態は扉用ウエイトバー１８の自重をもって維持される。
　　　【００４６】
　図７は第２発明における蝶番の変形実施例である。この蝶番３２は扉用ウエイトバー１８の端部に一体形成されたボス部３２ａと、このボス部３２ａに鉛直方向を指向して形成された嵌合孔に遊嵌状態で挿通されて、下端がスクリーン用ウエイトバー１６の連結ウエイトバー１６ｃに一体的に植設された鉛直ピン３２ｂとからなる。そして、この鉛直ピン３２ｂはボス部３２ａの上面から上方に向けて延び、扉用ウェイトバー１８を水平方向に回動自在に、かつ上下方向に移動自在に連結している。また、その上端部にはボス部の脱落を防止するために水平方向に延びる係止ピン３２ｄが一体化されて設けられている。
　　　【００４７】
　従って、この変形実施形態にあっても、前述の第２発明の実施形態と全く同様の作用効果が得られる。
　　　【００４８】
　図８から図１１は本願の第３発明に係る防火区画用スクリーン装置の一実施形態を示し、上記第１発明及び第２発明の各実施形態と同一構成部分には同一符号を付して重複する説明を省略して述べる。即ち、図８は防火区画用スクリーン装置を全体的に示す斜視図、図９は防火区画用スクリーン装置の扉部が開いたときの斜視図、図１０は要部である枢着部材取付部の斜視図、図１１はその要部拡大正面図で、（ａ）は閉止状態を示し、（ｂ）は開放作動状態を示す。
　　　【００４９】
　図８に示すように、スクリーン幕１２には、下端縁両側部から等長の部分にそれぞれ上向きにスリット部３６ａ，３６ｂが２つ形成されていて、スクリーン幕１２は３つに分断されている。そして、各分断されたスクリーン幕１２のスリット部３６ａ，３６ｂの左右両側部は、当該スリット部３６ａ，３６ｂにおいて隙間ができないように左右のスクリーン幕１２が相互に所定の幅分だけ重なっている。
　　　【００５０】
　また、スクリーン用ウエイトバー１６および扉用ウエイトバー１８は、ともにスクリーン幕１２の下端縁に水平に取り付けられている。スクリーン用ウエイトバー１６は、扉用ウエイトバー１８を挟んで左右両側に分割されて配設されているスクリーン用左ウエイトバー１６ａと、スクリーン用右ウエイトバー１６ｂ、及びこれら左右のウエイトバー１６ａ，１６ｂの下部に取り付けられてこれらを一直線上に連結して上記扉用ウエイトバー１８の下側を通る連結ウエイトバー１６ｃとからなる。また、スクリーン用右および左ウエイトバー１６ａ，１６ｂと扉用ウエイトバー１８とは一直線状を成して配列され、扉用ウエイトバー１８と連結ウエイトバー１６ｃとは分離されている。
　　　【００５１】
　また、スクリーン幕１２の中央部は２つのスリット部３６ａ，３６ｂとスクリーン幕１２の下端縁との間に位置して、矩形状の扉部２２が形成されている。この扉部２２は、スクリーン幕１２が可撓性に富むのでスリット部３６ａ，３６ｂの上端部から捻り変形自在になっている。また、扉部３８の下端縁には、上記扉用ウエイトバー１８が横方向に沿って取り付けられている。そして、この扉部３８は、その表面を手や体で押せば、図９に示すように、捻られて回転しつつ下端縁に取り付けられた扉用ウエイトバー１８とともにスクリーン幕１２の裏側へ押し出されて、スリット部３６ａ，３６ｂには大きな開口部が形成される。これにより、避難者はこの開口部の特にスリット３６ａ側を通じてスクリーン幕１２の裏側に出て簡単に通過することができ、迅速かつ速やかに安全な場所に避難することができる。
　　　【００５２】
　一方、上記扉用ウエイトバー１８は扉部２２の表面が押圧されて捻り変形されることによって若干上方に持ち上げられるため、避難者が通過し扉部２２の表面が押圧から解放されたときは、その自重によって元の位置に復帰するように移動し、スリット部３６ａ，３６ｂは再び閉塞される。
　　　【００５３】
　ここで、図１０，図１１に示すように扉用ウエイトバー１８の中央部には、スクリーン用ウエイトバー１６の連結ウエイトバー１６ｃとの間に、枢着部材として蝶番４０が取り付けられ、これら扉用ウエイトバー１８と連結ウエイトバー１６ｃとは、相対回動自在に連結されている。
　　　【００５４】
　上記蝶番４０は、鉛直方向を指向して連結ウエイトバー１６ｃに一体的に立設されて水平方向の回動軸となる鉛直ピン４０ｂと、この鉛直ピン４０ｂに回動自在に嵌合されるボス部材４０ａ、このボス部材４０ａの周側面から左右両側方に向けて一体的に一直線状に延出形成された接続片４０ｃ、及びこの接続片４０ｃに水平方向を指向して植設された水平ピン４０ｄとからなる。扉用ウエイトバー１８は、この蝶番４０を挟んで左右両側の２部材に分断形成されていて、その扉用左ウエイトバー１８ａと扉用右ウエイトバー１８ｂとはそれぞれ蝶番４０の水平ピン４０ｄに鉛直方向に回動自在に連結されている。つまり、蝶番４０は左右の扉用ウエイトバー１８ａ，１８ｂをスクリーン用ウエイトバー１６に対して、水平方向及び鉛直方向の２軸周りに回動自在に連結している。なお、鉛直ピン４０ｂの上端はボス部材４０ａの脱落を防止するために各径されて大径に形成されている。
　　　【００５５】
　従って、この実施形態にかかる第３発明の防火区画用スクリーン装置にあっては、スクリーン幕１２に形成される扉部３８は、該スクリーン幕１２の下端縁から上向きに形成された２つのスリット部３６ａ，３６ｂと、これらスリット部３６ａ，３６ｂの上端を結ぶ上辺３７とによって矩形状に形成されて、該扉部３８の開動時にはその上辺３７から捻り変形されて回転するようになっている。そして、この扉部３８の開動時には、扉用ウエイトバー１８ａ，１８ｂと連結用ウエイトバー１６ｃとの間に取り付けられた蝶番４０により、扉用ウエイトバー１８ａ，１８ｂは連結用ウエイトバー１６ｃに対し、水平方向に回動ずるとともに鉛直方向にも回動して、回転外周側となる揺動側の先端部が上方に持ち上げられる。
　　　【００５６】
　このため、人が避難時に扉部３８を手、若しくは肩等により、床面よりもだいぶ高い位置を開放力Ｆの入力点にして押し開き、扉部３８がその開放力Ｆの入力点で大きく撓んで湾曲し、これにより下側部分が吊り下がった状態で捻れ回転して開放動作したときに、扉用ウエイトバー１８ａ，１８ｂにその揺動先端部側を上方に引き上げるような力が作用しても、当該扉用ウエイトバー１８ａ，１８ｂは枢着部材である蝶番４０の水平ピン４０ｄを回動軸にしてその揺動先端側が上方に向けて上昇移動するから、蝶番４０の水平方向の回動軸をなす鉛直ピン４０ｂにこれをこじる様なモーメント力が作用することがなく、扉部３８の円滑な開放作動が損なわれることがない。
　　　【００５７】
　また、開放状態にある上記扉部３８は、上記扉用ウエイトバー１８ａ，１８ｂの自重による復帰力によって自動的に閉動されることになる。そして、この扉部３８の閉止状態は扉用ウエイトバー１８ａ，１８ｂの自重をもって維持される。
　　　【００５８】
　そして、閉止状態にあるときに、火災により発生する空気対流や外気の流入等でスクリーン幕１２の内外間に圧力差が発生した場合でも、扉部３８はその下端縁の扉用ウエイトバー１８が中央部で枢着部材の蝶番４０を介してスクリーン用ウエイトバー１６の連結ウエイトバー１６ｃに回動自在に連結されているから、その捩れ回転軸に対して左右対称に上記内外圧力差が働くことになり、当該圧力差による扉部３８の回転モーメントは相殺される。このため、スクリーン幕１２の内外間に圧力差が発生した場合にも、扉部３８が開くのを阻止することができ、もってスクリーン幕１２の密閉性を維持して、延焼防止効果を大幅に向上することができる。
　　　【００５９】
　図１２と図１３は本願の第４発明に係る防火区画用スクリーン装置の一実施形態を示し、上記第３発明の実施形態と同一構成部分には同一符号を付して重複する説明を省略して述べる。即ち、図１２は防火区画用スクリーン装置を全体的に示す斜視図、図１３は防火区画用スクリーン装置の扉部が開いたときの斜視図である。ここで、この第４発明が上述の第３発明と異なる点は枢着部材である蝶番の構造にある。
　　　【００６０】
　即ち、図示するようにこの第４発明では、枢着部材はスクリーン用ウエイトバー１６の連結ウエイトバー１６ｃに対し、扉用ウエイトバー１８の中央部を水平方向に回動自在に連結するとともに、その回動軸に沿って扉用ウエイトバー１８を鉛直方向に昇降移動可能に連結する蝶番構造となっている。つまり、蝶番５０は連結ウエイトバー１６ｃに鉛直方向を指向して一体的に立設された鉛直ピン５０ａと、扉用ウエイトバー１８の中央部に鉛直方向を指向して形成され、上記鉛直ピン５０ａに遊嵌状態で嵌合挿通される係合孔とからなり、扉用ウエイトバー１８は左右分割されずに一体化されている。
　　　【００６１】
　従って、この実施形態にかかる第４発明の防火区画用スクリーン装置にあっては、スクリーン幕１２に形成される扉部３８は、該スクリーン幕１２の下端縁から上向きに形成された２つのスリット部３６ａ，３６ｂと、これらスリット部３６ａ，３６ｂの上端を結ぶ上辺３７とによって矩形状に形成されて、該扉部３８の開動時にはその上辺３７から捻り変形されて回転するようになっている。そして、この扉部３８の開動時には、扉用ウエイトバー１８と連結用ウエイトバー１６ｃとの間に取り付けられた蝶番５０により、扉用ウエイトバー１８は連結用ウエイトバー１６ｃに対し、水平方向に回動するとともに鉛直方向に全体的に上昇移動して上方に持ち上げられる。
　　　【００６２】
　このため、人が避難時に扉部３８を手、若しくは肩等により、床面よりもだいぶ高い位置を開放力Ｆの入力点にして押し開き、扉部３８がその開放力Ｆの入力点で大きく挑んで湾曲し、これにより下側部分が吊り下がった状態で捻れ回転して開放動作したときに、扉用ウエイトバー１８にその揺動先端部側を上方に引き上げるような力が作用しても、当該扉用ウエイトバー１８は枢着部材である蝶番５０の鉛直ピン５０ａを回動軸にして回転しつつ、鉛直ピン５０ａに沿って上方に向けて上昇移動するから、蝶番５０の水平方向の回動軸をなす鉛直ピン５０ｂにこれをこじる様なモーメント力が作用することがなく、扉部３８の円滑な開放作動が損なわれることがない。
　　　【００６３】
　また、開放状態にある上記扉部３８は、上記扉用ウエイトバー１８の自重による復帰力によって自動的に閉動されることになる。そして、この扉部３８の閉止状態は扉用ウエイトバー１８の自重をもって維持される。
　　【００６４】
　そして、閉止状態にあるときに、火災により発生する空気対流や外気の流入等でスクリーン幕１２の内外間に圧力差が発生した場合でも、扉部３８はその下端縁の扉用ウエイトバー１８が中央部で枢着部材の蝶番５０を介してスクリーン用ウエイトバー１６の連結ウエイトバー１６ｃに回動自在に連結されているから、その捩れ回転軸に対して左右対称に上記内外圧力差が働くことになり、当該圧力差による扉部３８の回転モーメントは相殺される。このため、スクリーン幕１２の内外間に圧力差が発生した場合にも、扉部３８が開くのを阻止することができ、もってスクリーン幕１２の密閉性を維持して、延焼防止効果を大幅に向上することができる。
　　　【００６５】
　　【発明の効果】
　以上説明したように本発明に係る防火区画用スクリーン装置によれば、次の様な優れた効果を奏する。
　　　【００６６】
（１）請求項１の防火区画用スクリーン装置では、人が避難時に扉を手、若しくは肩等によって床面よりもだいぶ高い位置を開放力の入力点にして押し開き、それより下側部分が吊り下がった状態で開放動作して、扉用ウエイトバーの揺動先端部側を上方に引き上げるような力が作用しても、扉用ウエイトバーはスクリーン用ウエイトバーに対して、枢着部材により水平方向と鉛直方向との２軸周りにに回動ずるから、枢着部材の水平方向側の回動軸にこれをこじる様なモーメント力が作用することがなく、扉の円滑な開放作動が損なわれることがない。
　　　【００６７】
（２）請求項２の防火区画用スクリーン装置では、人が避難時に扉を手、若しくは肩等によって床面よりもだいぶ高い位置を開放力の入力点にして押し開き、それより下側部分が吊り下がった状態で開放動作して、扉用ウエイトバーの揺動先端部側を上方に引き上げるような力が作用しても、扉用ウエイトバーはスクリーン用ウエイトバーに対して、枢着部材の回動軸を中心に水平方向に回動するとともに鉛直方向に上昇移動するため、枢着部材の回動軸にこれをこじる様なモーメント力が作用することを防止でき、扉の円滑な開放作動が損なわれることがない。
　　　【００６８】
（３）請求項３の防火区画用スクリーン装置では、人が避難時に扉を手、若しくは肩等によって床面よりもだいぶ高い位置を開放力の入力点にして押し開き、それより下側部分が吊り下がった状態で開放動作して、扉用ウエイトバーの揺動先端部側を上方に引き上げるような力が作用しても、扉用ウエイトバーはスクリーン用ウエイトバーに対して、枢着部材により水平方向と鉛直方向との２軸周りにに回動するから、枢着部材の水平方向側の回動軸にこれをこじる様なモーメント力が作用することを防止でき、扉の円滑な開放作動が損なわれることがない。
　　　【００６９】
　また、上記扉部が閉止状態にあるときに、火災により発生する空気対流や外気の流入等でスクリーン幕の内外間に圧力差が発生した場合でも、扉はその下端縁の扉用ウエイトバーが中央部で枢着部材を介してスクリーン用ウエイトバーに対して水平方向に回動自在に連結されているから、その回動軸に対して左右対称に上記内外圧力差が働くから、当該圧力差による扉の回転モーメントを相殺することができる。このため、スクリーン幕の内外間に圧力差が発生した場合にも、扉部が開くのを阻止することができ、もって該スクリーン幕の密閉性を維持して、延焼防止効果を大幅に向上することができる。
　　　【００７０】
（４）請求項４の防火区画用スクリーン装置では、人が避難時に扉を手、若しくは肩等によって床面よりもだいぶ高い位置を開放力の入力点にして押し開き、それより下側部分が吊り下がった状態で開放動作して、扉用ウエイトバーの揺動先端部側を上方に引き上げるような力が作用しても、扉用ウエイトバーはスクリーン用ウエイトバーに対して、枢着部材の回動軸を中心に水平方向に回動するとともにこの回動軸に沿って鉛直方向に上昇移動するため、枢着部材の回動軸にこれをこじる様なモーメント力が作用することを防止でき、扉の円滑な開放作動が損なわれることがない。
　　　【００７１】
　また、上記扉が閉止状態にあるときに、火災により発生する空気対流や外気の流入等でスクリーン幕の内外間に圧力差が発生した場合でも、扉はその下端縁の扉用ウエイトバーが中央部で枢着部材を介してスクリーン用ウエイトバーに回動自在に連結されているから、その捩れ回転軸に対して左右対称に上記内外圧力差が働くから、当該圧力差による扉の回転モーメントを相殺することができる。このため、スクリーン幕の内外間に圧力差が発生した場合にも、扉部が開くのを阻止することができ、もって該スクリーン幕の密閉性を維持して、延焼防止効果を大幅に向上することができる。
【図面の簡単な説明】
　　【図１】
　第１発明の一実施形態の防火区画用スクリーン装置を全体的に示す斜視図である。
　　【図２】
　図１の防火区画用スクリーン装置の扉部が開いた状態を示す斜視図である。
　　【図３】
　図１中の要部拡大斜視図である。
　　【図４】
　図１中の要部拡大斜視図で、（ａ）は閉止状態を示し、（ｂ）は開放状態を示す。
　　【図５】
　第１発明の他の実施形態の防火区画用スクリーン装置を示す要部拡大正面図である。
　　【図６】
　第２発明の防火区画用スクリーン装置の要部拡大正面図で、（ａ）は閉止状態を示し、（ｂ）は開放状態を示す。
　　【図７】
　第２発明における蝶番の変形実施例の斜視図である。
　　【図８】
　第３発明の防火区画用スクリーン装置を全体的に示す斜視図である。
　　【図９】
　図８の防火区画用スクリーン装置の扉部が開いたときの斜視図である。
　　【図１０】
　第３発明の要部である枢着部材取付部の斜視図である。
　　【図１１】
　第３発明の要部拡大正面図で、（ａ）は閉止状態を示し、（ｂ）は開放作動状態を示す。
　　【図１２】
　第４発明の防火区画用スクリーン装置を全体的に示す斜視図である。
　　【図１３】
　図１２の防火区画用スクリーン装置の扉部が開いたときの斜視図である。
　　【図１４】
　従来の防火区画用スクリーン装置を示す要部拡大正面図である。
　　【図１５】
　従来の防火区画用スクリーン装置の開放時の状態を説明する要部縦断面図である。
　　【符号の説明】
　１２　スクリーン幕
　１６，１６ａ，１６ｂ，１６ｃ　スクリーン用ウエイトバー
　１８，１８ａ，１８ｂ　扉用ウエイトバー
　２０，３６ａ，３６ｂ　スリット部
　２２，３８　扉部
　２６、２８，３０，３２，４０，５０　蝶番（枢着部材）